(57)【要約】【課題】高架橋の桁に対して、順次に足場板固定パイプを直に固定し、しかも足場構築の作業員の落下事故を安全ネットで確実に防止することができる足場構築方法を得る。【解決手段】各桁１の下側フランジ１Ａに初期足場板固定パイプ２および足場板３で初期足場ステージ４Ａを形成し、安全ネット５の一方の端部側を第１番目の足場板固定パイプ２Ａに固定し、初期足場ステージ４Ａ上で、鳥居状のキャスター付き安全ネット繰り出し具６を組み立て、頂部横バー６Ａに安全ネット５の他方の端部を固定し、安全ネット繰り出し具６の１対の縦方向バー６Ｃ，６Ｄを各作業員８が押し出して安全ネット５を伸展した後、縦方向バーの後端を初期足場板固定パイプ２の少なくとも１個に固定し、順次に足場板固定パイプ１２の両側端部を桁１の下側フランジ１Ａに固定し、かつ安全ネット５を固定済み足場板固定パイプ１２に連結して足場ステージ全体を組み立てる。【選択図】図１
2006265899.tif 000002
【特許請求の範囲】
【請求項１】
例えば、高架橋におけるＨ形鋼による１対の桁で支持される高架スラブ構造の下面もしくは桁側面に沿って、ケーブルもしくは管路の敷設、または塗装等の作業を行うため、１対の桁間で所定間隔毎に横方向の足場板固定パイプを張り渡し、これら足場板固定パイプ上に足場板を桁に平行な縦方向に張り渡して固定することにより足場ステージを組み立てる足場構築方法において、
高所作業車もしくはゴンドラを利用し、初期足場板固定パイプを少なくとも３本、１対の桁間に横方向に張り渡し、キャッチクランプによって各桁のＨ形鋼下側フランジに固定し、初期足場板固定パイプ上に足場板を固定して初期足場ステージを形成するとともに、初期足場ステージ上で蛇腹状に折り畳んだ安全ネットの一方の端部を初期足場ステージの下側に潜らせて安全ネット端部側の緊縛ロープにより第１番目の足場板固定パイプに固定し、
初期足場ステージ上で、４本の足場用固定パイプを鳥居状に組み立て、鳥居の頂部横バーを作業進行方向前方側に配置し、この頂部横バーに安全ネットの他方の端部を緊縛ロープによって固定し、また前記頂部横バーの両側端部にＨ形鋼桁の下側フランジ上で走行するキャスターを固定し、鳥居の左右１対の脚部分に対応する縦方向バーを桁にほぼ平行な方向に延在させる安全ネット繰り出し具を準備し、
安全ネット繰り出し具の１対の縦方向バーを各作業員が押し出すことにより安全ネットを伸展し、
縦方向バーの後端を初期足場板固定パイプの少なくとも１個に固定し、
伸展した安全ネット上で順次に横方向の足場板固定パイプの両側端部をキャッチクランプで各桁のＨ形鋼桁の下側フランジに固定し、かつ安全ネットの少なくとも横方向端縁を足場板固定パイプに連結して足場ステージを組み立て、
足場が完成した後、この完成した足場を初期足場ステージとして次の足場を構築する方向にシフトして上述のステップ繰り返す
ことを特徴とする足場構築方法。
【請求項２】
前記頂部横バーのほぼ中心に親綱の一方の端部を緊縛し、この親綱の他方の端部を初期足場板固定パイプの少なくともいずれか１個の中心に緊縛し、この親綱を、必要に応じて作業員の安全ベルトの命綱を引っ掛けることができるようにした請求項１記載の足場構築方法。
【発明の詳細な説明】
【技術分野】
【０００１】
本発明は、例えば、高速道路又は橋のような、高架橋におけるＨ形鋼による１対の桁で支持される高架スラブ構造の下面もしくは桁側面に沿って、ケーブルもしくは管路の敷設、または塗装等の作業を行うため、１対の桁間で所定間隔毎に横方向の足場板固定パイプを張り渡し、これら足場板固定パイプ上に足場板を桁に平行な縦方向に張り渡して固定することにより足場ステージを組み立てる足場構築方法に関するものである。
【背景技術】
【０００２】
このような足場構築方法としては、互いに離れた橋脚間に複数個のメインロープを張設し、メインロープに直交させた複数個のパイプと、メインロープに沿って転動するローラ対付きの連結具と、間隔保持ワイヤと、安全ネットからなる連結体を組み立て、この連結体に取り付けた引っ張りロープを、橋脚に設置した手巻きウインチで引っ張ることにより、２個の橋脚間に安全ネットを張設し、張設後に、メインロープ又はパイプを、橋梁の高欄と、縦桁の下フランジから吊り下げチェーンで吊り下げ支持し、パイプ上に足場板を載せることにより橋脚間に足場を構築するものがある。（例えば、特許文献１参照。）
【特許文献１】特開平６‐１８５０１９号公報
【発明の開示】
【発明が解決しようとする課題】
【０００３】
しかし、この従来の方法は、橋脚間に足場全体を構築するに足る本数の足場板固定パイプ全体を間隔保持ワイヤで所定間隔に保持し、また、足場板固定パイプの両側端部に安全ネットの側方端縁を連結し、各足場板固定パイプに設けた連結具のローラ対間にメインロープを挿通し、あらかじめ橋脚間にメインロープを張設しておく必要があり、さらに、先方の橋脚にウインチを設けておく必要がある。
【０００４】
この従来方法は、足場構築のために互いに隣接する橋脚を利用することを前提とし、準備が極めて面倒であり、準備段階で重装備となり、作業が大変であり、吊り足場であるため、足場が不安定である。
【０００５】
さらに、このような橋脚以外の高架橋における足場構築では、足場板固定パイプを桁に固定してから、安全ネットを固定済みの足場固定パイプに固定する手順で行っていたため、足場固定パイプの固定作業の際の転落事故を完全に防止することができなかった。
【０００６】
したがって、本発明足場構築方法は、比較的スパンが長い互いに隣接する橋脚を利用せず、１対のＨ鋼（この「Ｈ」を横転したフランジが幅広の「Ｉ」字鋼とみなすことができる）の桁に対して、順次に足場板固定パイプを直に固定し、しかも足場を構築する作業員の落下事故を安全ネットで確実に防止することができる足場構築方法を得るにある。
【課題を解決するための手段】
【０００７】
この目的を達成するため、本発明足場構築方法は、高所作業車もしくはゴンドラを利用し、初期足場板固定パイプを少なくとも３本、１対の桁間に横方向に張り渡し、キャッチクランプによって各桁のＨ形鋼下側フランジに固定し、初期足場板固定パイプ上に足場板を固定して初期足場ステージを形成するとともに、初期足場ステージ上で蛇腹状に折り畳んだ安全ネットの一方の端部を初期足場ステージの下側に潜らせて安全ネット端部側の緊縛ロープにより第１番目の足場板固定パイプに固定し、
初期足場ステージ上で、４本の足場用固定パイプを鳥居状に組み立て、鳥居の頂部横バーを作業進行方向前方側に配置し、この頂部横バーに安全ネットの他方の端部を緊縛ロープによって固定し、また前記頂部横バーの両側端部にＨ形鋼桁の下側フランジ上で走行するキャスターを固定し、鳥居の左右１対の脚部分に対応する縦方向バーを桁にほぼ平行な方向に延在させる安全ネット繰り出し具を準備し、
安全ネット繰り出し具の１対の縦方向バーを各作業員が押し出すことにより安全ネットを伸展し、
縦方向バーの後端を初期足場板固定パイプの少なくとも１個に固定し、
伸展した安全ネット上で順次に横方向の足場板固定パイプの両側端部をキャッチクランプで各桁のＨ形鋼下側フランジに固定し、かつ安全ネットの少なくとも横方向端縁を固定済み足場板固定パイプに連結して足場ステージを組み立て、
足場が完成した後、この完成した足場を初期足場ステージとして次の足場を構築する方向にシフトして上述のステップ繰り返す
ことを特徴とする。
【発明の効果】
【０００８】
本発明足場構築方法によれば、足場板固定パイプを固定したり、桁の下側フランジに固定した足場板固定パイプに足場板を固定するときには、すでに安全ネットが敷設されているため、足場板固定パイプの固定作業や、足場板固定作業の際に、万一作業員が落下しても安全ネットで受け止めることができ、深刻な事態にいたることを確実に回避することができる。
【０００９】
さらに、本発明足場構築方法によれば、短いスパン毎に安全ネットを張り渡し、順次足場ステージを漸進的に構築していくため、軽装備で、迅速に作業を行うことができる。
【発明を実施するための最良の形態】
【００１０】
本発明の好適な実施例においては、前記頂部横バーのほぼ中心に親綱の一方の端部を緊縛し、この親綱の他方の端部を初期足場板固定パイプの少なくともいずれか１個の中心に緊縛し、この親綱を、必要に応じて作業員の安全ベルトの命綱を引っ掛けることができるようにする。
【００１１】
次に、図面につき本発明の好適な実施例を説明する。
【実施例１】
【００１２】
図１は、例えば高速道路又は橋のような、高架橋におけるＨ形鋼による１対の桁１（Ｈ形鋼を横倒しにした幅広の上側および下側フランジが存在する「Ｉ」字状態で使用）で支持される高架スラブ構造の下面もしくは桁側面に沿って、ケーブルもしくは管路の敷設、または塗装等の作業を行うため、１対の桁間で所定間隔毎に横方向の初期足場板固定パイプ２を張り渡し、これら初期足場板固定パイプ上に足場板３を桁１に平行な縦方向に張り渡して固定することにより初期足場ステージ４Ａを組み立てた初期段階を示し、説明を分かり易くするため、高架スラブ構造は示さない。
【００１３】
本発明足場構築方法によれば、まず、高所作業車、もしくはゴンドラを利用し、１対の桁１の間に少なくとも３本の初期足場板固定パイプ２Ａ，２Ｂ，２Ｃを横方向に張り渡し、キャッチクランプ（図示せず）によって各桁１のＨ形鋼下側フランジ１Ａに固定し、初期足場板固定パイプ２Ａ上に足場板３を固定して初期足場ステージ４Ａを形成するとともに、初期足場ステージ４Ａ上で蛇腹状に折り畳んだ安全ネット５（この折り畳んだ安全ネットは説明を分かり易くするため図示せず）の一方の端部を初期足場ステージ４の下側に潜らせて安全ネット端部側の緊縛ロープ（図示せず）により第１番目の足場板固定パイプ２Ａに固定する。
【００１４】
初期足場ステージ４Ａ上で、４本の足場用固定パイプ６Ａ，６Ｂ，６Ｃ，６Ｄを鳥居状に組み立て、鳥居の頂部横バー６Ａを作業進行方向前方側に配置し、この頂部横バー６Ａに安全ネット５の他方の端部を緊縛ロープ（図示せず）によって固定し、また頂部横バー６Ａの両側端部にＨ形鋼桁１の下側フランジ１Ａ上で走行するキャスター７を固定し、鳥居の左右１対の脚部分に対応する縦方向バー６Ｃ，６Ｄを桁にほぼ平行な方向に延在させる安全ネット繰り出し具６を準備する。
【００１５】
つぎに、初期足場ステージ４Ａ上で、図２に示すように、安全ネット繰り出し具６の１対の縦方向バー６Ｃ，６Ｄを、それぞれ作業員８Ａ，８Ｂが押し出すことにより安全ネット５を伸展する。頂部横バー６Ａに後続する第２横バー６Ｂは、左右１対の縦方向バー６Ｃ，６Ｄを互いに連結するもので、作業員が安全ネット繰り出し具６を押し出す際に左右１対の縦方向６Ｃ，６Ｄバーの桁１に対する傾斜の同期をとるものである。
【００１６】
好適には、頂部横バー６Ａのほぼ中心に親綱９の一方の端部を緊縛し、この親綱の他方の端部を初期足場板固定パイプ２Ａ，２Ｂ，２Ｃの少なくともいずれか１個の中心に緊縛し、この親綱９を、必要に応じて作業員の安全ベルト１０の命綱１１を引っ掛けることができるようにする。通常は、作業員の安全ベルト１０の命綱１１を固定済みの任意の固定パイプに取り付けて作業するようにする。
【００１７】
図３に示すように、安全ネット５を伸展しきった後、縦方向バー６Ｃ，６Ｄの後端を初期足場板固定パイプ２Ａ，２Ｂ，２Ｃの少なくとも１個に固定する。つぎに、伸展した安全ネット５上で順次に横方向の足場板固定パイプ１２Ａ，１２Ｂ，１２Ｃ，１２Ｄ，１２Ｅ等の両側端部をキャッチクランプ（図示せず）で各桁のＨ形鋼桁の下側フランジ１Ａに固定し、かつ安全ネット５の少なくとも横方向端縁を、好適には、中間部分も、固定済みの足場板固定パイプ１２Ａ，１２Ｂ，１２Ｃ，１２Ｄ，１２Ｅに連結して初期足場ステージ４Ａに隣接する足場ステージ４Ｂを組み立てる。この足場ステージ４Ａ，４Ｂには、適宜、手摺り１３を設ける。
【００１８】
初期足場板固定パイプ２Ａ，２Ｂ，２Ｃに続く、足場板固定パイプ１２Ａ，１２Ｂ，１２Ｃ，１２Ｄ，１２Ｅ等の桁１に対する順次の固定作業、および足場板の固定パイプに対する固定作業は、安全ネット５が作業領域全体にわたりあらかじめ張設されているため、作業員の転落事故を確実に防止することができる。
【００１９】
足場ステージ４Ｂが完成した後、この完成した足場ステージ４Ｂを初期足場ステージとして次の足場を構築する方向にシフトして上述のステップ繰り返す。
【産業上の利用可能性】
【００２０】
本発明足場構築方法は、例えば、高速道路又は橋のような、高架橋におけるＨ形鋼による１対の桁で支持される高架スラブ構造の下面もしくは桁側面に沿って、ケーブルもしくは管路の敷設、または塗装等の作業を行うための足場構築に利用し、作業員の転落事故を確実に防止する。
【図面の簡単な説明】
【００２１】
【図１】本発明足場構築方法を実施するときの初期段階の説明図である。
【図２】本発明足場構築方法における安全ネットを伸展する第１中間段階の説明図である。
【図３】本発明足場構築方法における安全ネットを伸展し終わった第２中間段階の説明図である。
【図４】本発明足場構築方法における伸展した安全ネット上で足場板固定パイプを取り付ける第３中間段階の説明図である。
【図５】本発明足場構築方法における伸展した安全ネット上で足場板固定パイプの取り付けを完了する直前の第４中間段階の説明図である。
【符号の説明】
【００２２】
１  桁
１Ａ  桁の下側フランジ
２  初期足場板固定パイプ
３  足場板
４Ａ  初期足場ステージ
４Ｂ  足場ステージ
５  安全ネット
６  安全ネット繰り出し具
６Ａ  頂部横バー
６Ｂ  第２横バー
6C,6D 縦方向バー
７  キャスター
８  作業員
９  親綱
１０  安全ベルト
１１  命綱
１２  足場板固定パイプ
１３  手摺り
【図１】
2006265899.tif 000003
【図２】
2006265899.tif 000004
【図３】
2006265899.tif 000005
【図４】
2006265899.tif 000006
【図５】
2006265899.tif 000007